(57)【特許請求の範囲】
【請求項１】
音声入出力装置とマイク装置とから成る骨伝導ヘッドセットシステムであって、
前記音声入出力装置は、通話スイッチと、骨伝導スピーカと、前記マイク装置が接続される第１コネクタと、通信機器が接続される第２コネクタとを備え、
前記第１コネクタは、スリーブ、リング、チップの順に３接点を有し、
前記第２コネクタは、スリーブ、第１リング、第２リング、チップの順に４接点を有し、
前記第１コネクタの前記スリーブは、前記第２コネクタの前記スリーブと接続され、前記第１コネクタの前記リングはグランドに接続され、前記第１コネクタの前記チップは前記第２コネクタの第２リングと接続されるとともに、前記通話スイッチを介してグランドと接続されており、
前記マイク装置は、マイクと前記マイクを前記音声入出力装置に接続する第３コネクタとを備え、
前記第３コネクタは、チップ、リング、スリーブの順に３接点を有し、前記第３コネクタの前記スリーブは、前記マイクの第１端子に接続し、前記第３コネクタの前記チップは前記マイクの第２端子に接続し、前記第３コネクタは前記音声入出力装置の前記第１コネクタに接続する、骨伝導ヘッドセットシステム。
【請求項２】
前記第１コネクタは、プラグ挿入口から順に前記スリーブ、前記リング、前記チップの３接点を有する３極ジャックであり、
前記第２コネクタは、プラグ挿入口から順に前記スリーブ、前記第１リング、前記第２リング、前記チップの４接点を有する４極ジャックであり、
前記第３コネクタは、先端から順に、チップ、リング、スリーブの３接点を有する３極プラグであり、
前記第３コネクタが前記第１コネクタに挿入されることにより、前記マイクは前記音声入出力装置に接続される、
請求項１に記載の骨伝導ヘッドセットシステム。
【請求項３】
前記マイクは骨伝導マイクであって、
前記骨伝導マイクは通話スイッチを備え、前記第３コネクタの前記リングは、前記通話スイッチを介して前記マイクの前記第２端子と接続する
請求項１または請求項２に記載の骨伝導ヘッドセットシステム。
【請求項４】
前記骨伝導スピーカは、左スピーカおよび右スピーカを含み、
前記第２コネクタの前記第１リングは前記左スピーカおよび前記右スピーカの一方と接続され、前記第２コネクタの前記チップは前記左スピーカおよび前記右スピーカの他方と接続されている
請求項１から請求項３の何れか一項に記載の骨伝導ヘッドセットシステム。
【請求項５】
前記第２コネクタの前記第１リングおよび前記第２リングは短絡されている
請求項１から請求項４の何れか一項に記載の骨伝導ヘッドセットシステム。
【請求項６】
通話スイッチと、骨伝導スピーカと、マイクが接続される第１コネクタと、通信機器が接続される第２コネクタとを備える音声入出力装置であって、
前記第1コネクタは、スリーブ、リング、チップの順に３接点を有し、
前記第２コネクタは、スリーブ、第１リング、第２リング、チップの順に４接点を有し、
前記第１コネクタの前記スリーブは、前記第２コネクタの前記スリーブと接続され、前記第１コネクタの前記リングはグランドに接続され、前記第１コネクタの前記チップは前記第２コネクタの第２リングと接続されるとともに、前記通話スイッチを介してグランドと接続されている、音声入出力装置。
【請求項７】
前記第1コネクタは、プラグ挿入口から順に前記スリーブ、前記リング、前記チップの３接点を有する３極ジャックであり、
前記第２コネクタは、プラグ挿入口から順に前記スリーブ、前記第１リング、前記第２リング、前記チップの４接点を有する４極ジャックである
請求項６に記載の音声入出力装置。
【請求項８】
前記骨伝導スピーカは、左スピーカおよび右スピーカを含み、
前記第２コネクタの前記第１リングは前記左スピーカおよび前記右スピーカの一方と接続され、前記第２コネクタの前記チップは前記左スピーカおよび前記右スピーカの他方と接続されている
請求項６または請求項７に記載の音声入出力装置。
【請求項９】
前記第２コネクタの前記第１リングおよび前記第２リングは短絡されている
請求項６から請求項８の何れか一項に記載の音声入出力装置。
【発明の詳細な説明】
【技術分野】
【０００１】
本開示は、音声入出力装置および音声入出力装置を備える骨伝導ヘッドセットシステムに関する。
【背景技術】
【０００２】
特許文献１は、イヤホン・マイクロホンセットを携帯電話に接続するアダプターを開示している。このアダプターは消音スイッチと受話スイッチとを備える。利用者はアダプターの消音スイッチを操作することでマイクをオフしたり、受話スイッチを操作することで通話することができる。【０００３】
ここで、ヘッドセットに接続する通話装置は、トランシーバに代表される半二重の通話方式と、携帯電話、スマートフォンに代表される全二重の通話方式とがある。さらにトランシーバはＰＴＴスイッチの押下を検出する配線が異なる２種類がある。また、ヘッドセットに接続するマイクも、ＰＴＴスイッチを備える骨伝導マイクとＰＴＴスイッチを備えていない通常の音声マイクとの２種類がある。
【先行技術文献】
【特許文献】
【０００４】
【特許文献１】特開２０００−５９８７８号公報
【発明の概要】
【０００５】
特許文献１に記載されているアダプターは、これら３種類の通話方式には対応していない。また、ＰＴＴスイッチを備える骨伝導マイクにも対応していない。本開示は、複数種類の通話方式およびマイクに対応する音声入出力装置および骨伝導ヘッドセットシステムを提供する。
【０００６】
本開示に係る音声入出力装置は、通話スイッチと、骨伝導スピーカと、マイクが接続される第１コネクタと、通信機器が接続される第２コネクタとを備える音声入出力装置であって、第1コネクタは、スリーブ、リング、チップの順に３接点を有し、第２コネクタは、スリーブ、第１リング、第２リング、チップの順に４接点を有し、第１コネクタのスリーブは、第２コネクタのスリーブと接続され、第１コネクタのリングはグランドに接続され、第１コネクタのチップは第２コネクタの第２リングと接続されるとともに、通話スイッチを介してグランドと接続されている。
【０００７】
また、本開示に係る骨伝導ヘッドセットシステムは、音声入出力装置とマイク装置とから成る骨伝導ヘッドセットシステムであって、音声入出力装置は、通話スイッチと、骨伝導スピーカと、マイク装置が接続される第１コネクタと、通信機器が接続される第２コネクタとを備え、第１コネクタは、スリーブ、リング、チップの順に３接点を有し、第２コネクタは、スリーブ、第１リング、第２リング、チップの順に４接点を有し、第１コネクタのスリーブは、第２コネクタのスリーブと接続され、第１コネクタのリングはグランドに接続され、第１コネクタのチップは第２コネクタの第２リングと接続されるとともに、通話スイッチを介してグランドと接続されている。マイク装置は、マイクとマイクを音声入出力装置に接続する第３コネクタとを備え、第３コネクタは、チップ、リング、スリーブの順に３接点を有し、第３コネクタのスリーブは、マイクの第１端子に接続し、第３コネクタのチップはマイクの第２端子に接続し、第３コネクタは音声入出力装置の前記第１コネクタに接続する。
【０００８】
本開示に係る音声入出力装置および骨伝導ヘッドセットシステムは、複数種類の通話方式およびマイクに対応することができる。
【図面の簡単な説明】
【０００９】
【図１】図１は、実施の形態１における骨伝導ヘッドセットを含む通話装置を示す斜視図である。
【図２】図２は、実施の形態１における骨伝導マイクを含む骨伝導ヘッドセットの使用態様を示す斜視図である。
【図３】図３は、実施の形態１における骨伝導マイクの断面斜視図である。
【図４】図４は、実施の形態１における骨伝導マイクの断面図であり、スイッチオフ状態を示す図、および、スイッチオン状態を示す図である。
【図５】図５は、実施の形態１における通話装置の制御構成を示すブロック図である。
【図６】図６は、実施の形態２における骨伝導ヘッドセットを含む通話装置を示す斜視図である。
【図７】図７は、図６の骨伝導ヘッドセットを、図６とは異なる角度から見た場合の斜視図である。
【図８】図８は、実施の形態２における骨伝導ヘッドセットの使用態様を示す斜視図である。
【図９】図９は、実施の形態２の骨伝導ヘッドセットのスピーカ回路を示す図である。
【図１０】図１０は、実施の形態２における通話装置の制御構成を示すブロック図である。
【図１１】図１１は、実施の形態２の変形例１に関する回路図であって、ヘッドセット本体の回路図、骨伝導マイクの回路図、および、音声マイクの回路図である。
【図１２】図１２は、実施の形態２の変形例２に関する回路図であって、ヘッドセット本体の回路図、骨伝導マイクの回路図、および、音声マイクの回路図である。
【図１３】図１３は、実施の形態２の変形例３に関する回路図であって、ヘッドセット本体の回路図、骨伝導マイクの回路図、および、音声マイクの回路図である。
【図１４】図１４は、実施の形態２の変形例４に関する回路図であって、ヘッドセット本体の回路図、骨伝導マイクの回路図、および、音声マイクの回路図である。
【図１５Ａ】図１５Ａは、実施の形態２の変形例４に関し、ヘッドセット本体に音声マイクとＡタイプのトランシーバとを接続した場合の動作を説明するための図である。
【図１５Ｂ】図１５Ｂは、実施の形態２の変形例４に関し、ヘッドセット本体に骨伝導マイクとＡタイプのトランシーバとを接続した場合の動作を説明するための図である。
【図１５Ｃ】図１５Ｃは、実施の形態２の変形例４に関し、ヘッドセット本体に音声マイクとＢタイプのトランシーバとを接続した場合の動作を説明するための図である。
【図１５Ｄ】図１５Ｄは、実施の形態２の変形例４に関し、ヘッドセット本体に骨伝導マイクとＢタイプのトランシーバとを接続した場合の動作を説明するための図である。
【図１５Ｅ】図１５Ｅは、実施の形態２の変形例４に関し、ヘッドセット本体に音声マイクとスマートフォンタイプのトランシーバとを接続した場合の動作を説明するための図である。
【図１５Ｆ】図１５Ｆは、実施の形態２の変形例４に関し、ヘッドセット本体に骨伝導マイクとスマートフォンタイプのトランシーバとを接続した場合の動作を説明するための図である。
【発明を実施するための形態】
【００１０】
本開示の骨伝導マイクは、例えば、工事現場などの騒音環境下において、無線通信を使って遠隔地にいる相手と通話する場合に用いられる。骨伝導マイクは、骨伝導マイクの一部を顎または喉などに押し当て、人体から発せられる声帯振動を骨伝導により取得する。
【００１１】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１２】
なお、当業者が本開示を十分に理解するために添付図面および以下の説明を提供するのであって、これらによって請求の範囲に記載の主題を限定することを意図するものではない。
【００１３】
（実施の形態１）
以下、図１〜５を用いて、実施の形態１を説明する。
【００１４】
［１−１．通話装置の全体構成］
図１は、実施の形態１における骨伝導ヘッドセット５を含む通話装置９を示す斜視図である。図２は、骨伝導マイク１を含む骨伝導ヘッドセット５の使用態様を示す図である。
【００１５】
通話装置９は、図１に示すように、骨伝導マイク１およびヘッドセット本体５０を有する骨伝導ヘッドセット５と、トランシーバ７とを備える。骨伝導マイク１は、マイクケーブル４を介してヘッドセット本体５０に接続される。ヘッドセット本体５０は、耳かけ５２を有し、耳かけ５２が人体の耳に掛けられることで頭部に装着される。ヘッドセット本体５０は、ヘッドセットケーブル６を介してトランシーバ７に接続される。トランシーバ７は、例えば、服装の一部に取り付けられ、通信相手が所有する外部機器との通信を行う。なお、骨伝導マイク１は、ヘッドセット本体５０の制御部５５に接続されてもよいし、制御部５５に接続されずにトランシーバ７へ直接信号入力するように、トランシーバ７に接続されていてもよい。
【００１６】
骨伝導マイク１は、図２に示すように、留め金具２６を用いてヘルメット２の顎紐３に取り付けられる。骨伝導マイク１は、人体に接触して声帯振動を取得する振動取得部１０と、振動取得部１０を支持する筐体２１とを有している。骨伝導マイク１で声を入力する場合は、使用者は骨伝導マイク１を把持し、振動取得部１０を顎または喉に当接させる。これにより、骨伝導マイク１は声帯振動を取得する。声を入力しない場合は、骨伝導マイク１は、振動取得部１０が人体に接触しにくいように顎または喉に対して所定の距離を空け、顎紐３に吊り下げられた状態となる。
【００１７】
また、骨伝導ヘッドセット５は、空気を介して音を取得する音声マイク５７と、音声マイク５７を支持するマイクホルダ５８とを有している。例えば、骨伝導マイク１は騒音環境下で使用され、音声マイク５７は騒音環境下でない場合に使用される。骨伝導マイク１および音声マイク５７は、択一的に切り替えて使用される。
【００１８】
なお、図１では音声マイク５７の図示を省略し、図２ではマイクケーブル４の図示を省略している。
【００１９】
［１−２．骨伝導マイクの構成］
図３は、骨伝導マイク１の断面斜視図である。図４は、骨伝導マイク１の断面図であり、（ａ）はスイッチオフ状態を示し、（ｂ）はスイッチオン状態を示す。
【００２０】
骨伝導マイク１は、図３および図４に示すように、声帯振動を取得する振動取得部１０と、振動取得部１０を支持する筐体２１と、振動取得部１０にて取得する声帯振動の取得可否を切り替えるスイッチ２５とを備える。
【００２１】
まず、振動取得部１０について説明する。振動取得部１０は、人体に接触する接触部材１２と、接触部材１２に支持される声帯センサ１１と、接触部材１２からの押圧力をスイッチ２５に伝達する押し当て部材１３とを含む。
【００２２】
接触部材１２は、人体に接触して取得した声帯振動を声帯センサ１１に伝達する部材である。接触部材１２は、有底円筒状であり、側面部１２ｂと、側面部１２ｂの一方端において開口を有する開口部１２ｃと、側面部１２ｂの他方端に設けられ、人体に接触する当接部１２ａとを備える。図３では、当接部１２ａが側面部１２ｂのＺ方向プラス側に設けられ、開口部１２ｃが側面部１２ｂのＺ方向マイナス側に設けられている。側面部１２ｂは、一部が外側に湾曲しており、曲げ変形することで振動ノイズを吸収しやすい構造になっている。
【００２３】
接触部材１２は、筐体２１よりも柔らかい弾性体であり、例えばシリコンゴムなどの樹脂材料により形成される。柔らかいとは、柔らかい素材を用いること、および、構造的に柔らかいこと（例えば、薄く形成したり、波状に形成したりして変形しやすくなっていること）の両者を含む意味である。また、接触部材１２は、触り心地の良い素材が用いられることが望ましい。
【００２４】
声帯センサ１１は、接触部材１２を介して伝達された声帯振動のうちの所定方向（Ｚ方向）の振動を検出する検出素子である。声帯センサ１１は、例えば、厚み振動を行う平板状の圧電素子である。声帯センサ１１は、Ｚ方向に撓んで厚み振動を行うことができるように、接触部材１２の当接部１２ａの内壁に取り付けられている。声帯センサ１１は、検出したＺ方向の振動を電気信号に変換して、ヘッドセット本体５０またはトランシーバ７に入力する。なお、図３では声帯センサ１１に関する配線の図示を省略しているが、筐体２１内に、声帯センサ１１のセンサアンプを設け、このセンサアンプを用いて電気信号を増幅し、ヘッドセット本体５０またはトランシーバ７へ信号を入力してもよい。
【００２５】
押し当て部材１３は、プレート状であり、接触部材１２の開口部１２ｃを覆うように側面部１２ｂの一方端に設けられている。押し当て部材１３は、接触部材１２よりも硬い樹脂材料または金属材料により形成される。押し当て部材１３の中央の下側（筐体２１側）には、前述したスイッチ２５が配置される。押し当て部材１３が接触部材１２よりも硬い材料で形成されることにより、使用者の接触により接触部材１２が受けた押圧力を確実にスイッチ２５に伝えることができる。
【００２６】
押し当て部材１３には、円環状のダイヤフラム３０が設けられる。具体的には、押し当て部材１３の下面（筐体２１側の面）の外周領域に、ダイヤフラム３０の上面３０ｂの内周領域が固着される。ダイヤフラム３０は、接触部材１２よりも柔らかい弾性体であり、振動ノイズを吸収しやすい。また、ダイヤフラム３０は、接触部材１２よりも撓みやすい。撓みやすいとは、撓みやすい素材を用いること、および、構造的に撓みやすいことの両者を含む意味である。例えば、撓みやすいように、ダイヤフラム３０を薄板状の樹脂フィルム（例えば、ポリエチレンテレフタレートフィルム）または金属フィルムで形成してもよい。ダイヤフラム３０を接触部材１２よりも柔らかい弾性体で形成し、撓みやすくすることにより、接触部材１２が押圧力を受けた場合に、押し当て部材１３によってスイッチ２５が押し込まれてオンする前に接触部材１２が潰れてしまう事態を防ぐことができる。
【００２７】
次に、筐体２１およびスイッチ２５について説明する。筐体２１は、接触部材１２よりも硬い樹脂材料により形成される。筐体２１は、円筒状であり、筒状の一方端に設けられるベース部２１ａと、ベース部２１ａの外周付近にてベース部２１ａから他方端側に突出する円環状の支柱部２１ｂとを有する。ベース部２１ａの下側（支柱部２１ｂと反対側）には、前述した留め金具２６が設けられる。
【００２８】
筐体２１の上部には、円筒状のカバー２２が取り付けられる。カバー２２は、接触部材１２よりも大きな開口２２ａを有し、この開口２２ａから接触部材１２の当接部１２ａを突出および露出させた状態で筐体２１のベース部２１ａおよび支柱部２１ｂを覆っている。カバー２２の開口２２ａと接触部材１２の側面部１２ｂとの間には所定の隙間が設けられ、カバー２２と接触部材１２とが互いに接触しにくいようになっている。
【００２９】
筐体２１の支柱部２１ｂの端面２１ｃ上には、前述したダイヤフラム３０および振動取得部１０が配置される。ダイヤフラム３０は、下面３０ａの外周領域が支柱部２１ｂの端面２１ｃに重なるように配置される。ダイヤフラム３０の上面３０ｂの外周領域には、合成ゴムからなる円環状のパッキン２３が配置される。ダイヤフラム３０は、筐体２１にカバー２２を取り付ける際に、パッキン２３により支柱部２１ｂ側に押し付けられる。これにより、ダイヤフラム３０の外周領域は、パッキン２３と支柱部２１ｂとにより挟持される。
【００３０】
すなわち、ダイヤフラム３０は、振動取得部１０と筐体２１との間に位置し、振動取得部１０は、ダイヤフラム３０を介して筐体２１に支持されている。また、振動取得部１０は、ダイヤフラム３０が撓むことによって、Ｚ方向に位置変位可能に筐体２１に支持されている。
【００３１】
また、筐体２１は、スイッチ２５を取り付けるためのスイッチ固定部２１ｄを有する。スイッチ固定部２１ｄは、ベース部２１ａから突出して、支柱部２１ｂの内側に設けられる。
【００３２】
スイッチ２５は、スイッチ固定部２１ｄ上に設けられる。また、スイッチ２５は、オンオフの操作方向が、Ｚ方向と平行となるように、すなわち、声帯センサ１１が検出する振動の方向と平行となるように配置される。
【００３３】
より具体的には、スイッチ２５のＺ方向の中心軸と、振動取得部１０のＺ方向の中心軸とが一致するように、スイッチ２５をスイッチ固定部２１ｄに配置する。これにより、振動取得部１０に掛かる押圧力を効率よくスイッチ２５に伝達することができ、使用者にとっての操作性を向上させることができる。
【００３４】
スイッチ２５は、例えば、タクタイルスイッチであり、押されている状態でオンし続け、押されていない状態でオフする。タクタイルスイッチは、ばねを内蔵しており、振動ノイズを吸収しやすい。オンオフを切り替える操作部２５ａのＺ方向のストロークｓ１は、例えば０．２ｍｍである（図４の（ｂ）参照）。スイッチオフの場合において、スイッチ２５の操作部２５ａは、押し当て部材１３に対して０．１ｍｍ以上０．２ｍｍ以下の隙間を有するように設けられる。なお、必ずしも隙間を有している必要はなく、押し当て部材１３の下面がスイッチ２５の操作部２５ａに接触していてもよい。
【００３５】
本実施の形態の骨伝導マイク１では、スイッチ２５は、図４の（ａ）に示すように、筐体２１の内部において振動取得部１０が位置変位する方向（Ｚ方向マイナス側）に配置されている。そして、スイッチ２５は、図４の（ｂ）に示すように振動取得部１０が位置変位した場合に、振動取得部１０に押し込まれることでオンとなる。スイッチ２５がオンとなることで、振動取得部１０の声帯センサ１１は、声帯振動を取得し得る状態となる。
【００３６】
使用者の操作に基づき説明すると、使用者が骨伝導マイク１を把持して振動取得部１０を顎や喉に接触させて軽く押し当てることによりスイッチ２５はオンする。また、使用者が振動取得部１０を顎や喉から離すことによりスイッチ２５はオフする。
【００３７】
［１−３．骨伝導ヘッドセットの構成］
次に、図１を参照して、骨伝導ヘッドセット５の構成について説明する。
【００３８】
骨伝導ヘッドセット５は、骨伝導マイク１およびヘッドセット本体５０を含む。
【００３９】
ヘッドセット本体５０は、支持体５４と、一対のスピーカ５１とを備える。支持体５４は、Ｕ字状の形状をしており、互いに対向する両端部（端部５４ｂ、端部５４ｃ）と、両端部（端部５４ｂ、端部５４ｃ）の間に位置する中央部５４ａとを有している。なお、支持体５４の中央部５４ａとは、支持体５４をＵ字状の形状に沿ってみた場合の中央付近の部分をいう。一対のスピーカ５１は、互いに対向するように両端部（端部５４ｂ、端部５４ｃ）にそれぞれ支持されている。支持体５４の一方の端部５４ｂには、マイクケーブル４を介して骨伝導マイク１が接続されている。また、図２に示すように、一方の端部５４ｂには、マイクホルダ５８を介して音声マイク５７が接続されている。
【００４０】
支持体５４は、主に樹脂材料で形成され、内部には、弾性を有するワイヤ骨材が設けられる。また、支持体５４の内部には、骨伝導マイク１、音声マイク５７、制御部５５およびスピーカ５１などを接続するための配線が設けられる。支持体５４の両端部（端部５４ｂ、端部５４ｃ）は、上下（Ｚ方向）に延びた柱状の形状をしており、一対のスピーカ５１は両端部（端部５４ｂ、端部５４ｃ）の上側（Ｚ方向プラス側）に設けられている。また、両端部（端部５４ｂ、端部５４ｃ）のそれぞれには、耳かけ５２が設けられている。支持体５４の中央部５４ａには、制御部５５が内蔵されている。
【００４１】
図５は、骨伝導ヘッドセット５を含む通話装置９の制御構成を示すブロック図である。
【００４２】
図５に示すように、通話装置９は、骨伝導ヘッドセット５とトランシーバ７とから構成される。
【００４３】
ヘッドセット本体５０は、制御部５５と、スピーカ５１とを有している。制御部５５は、ＣＰＵ（central processing unit）、ＲＡＭ（random access memory）およびＲＯＭ（read only memory）などにより構成される。スピーカ５１は、例えば、骨伝導スピーカであり、制御部５５に接続されている。声帯センサ１１およびスイッチ２５を有する骨伝導マイク１は、制御部５５と接続されている。音声マイク５７は、制御部５５と接続されている。また、ヘッドセット本体５０の制御部５５は、トランシーバ７に接続されている。
【００４４】
通話装置９は、トランシーバ７を介して、通信相手が所有する外部機器と無線で通信する。具体的には、声帯センサ１１および音声マイク５７から出力された信号は、ヘッドセット本体５０を介してトランシーバ７に入力され、さらにトランシーバ７を介して通信相手の外部機器に送信される。ただし、骨伝導マイク１のスイッチ２５がオンになっている場合は、音声マイク５７からの信号は処理されず、声帯センサ１１からの信号のみがトランシーバ７内で処理される。一方、外部機器から送信された信号は、トランシーバ７で受信され、ヘッドセット本体５０の制御部５５を介してスピーカ５１から出力される。トランシーバ７の通信方式としては、例えば、４２２ＭＨｚ帯または４４０ＭＨｚ帯の周波数帯が用いられる。
【００４５】
なお、骨伝導マイク１から出力された信号は、ヘッドセット本体５０の制御部５５を介さずに直接、トランシーバ７に入力されてもよい。本実施の形態では、骨伝導マイク１、ヘッドセット本体５０およびトランシーバ７はそれぞれ有線接続されているが、それに限られず、Bluetooth（登録商標）のような２．４ＧＨｚ帯の周波数帯を用いて無線接続されていてもよい。
【００４６】
［１−４．効果等］
以上のように、本実施の形態において、声帯振動を音声信号に変換する骨伝導マイク１は、人体に接触して、声帯振動に含まれる所定方向（図１〜３におけるＺ方向）の振動を取得する振動取得部１０と、所定方向の振動の取得可否を切り替えるスイッチ２５とを備える。スイッチ２５は、取得可否を切り替える操作の方向が所定方向と平行となるように、前記振動取得部の前記人体に接触する側とは反対側に配置されている。
【００４７】
これにより、スイッチ２５が所定方向に操作されることで、振動取得部１０は、所定方向の声帯振動を取得し得る状態となる。そのため、骨伝導マイク１は、簡易な操作で声帯振動を取得しやすくなる。
【００４８】
また、本実施の形態において、骨伝導マイク１のスイッチ２５は、振動取得部１０が人体に押し当てられることでオンし、人体から離されることでオフする。そして、振動取得部１０は、スイッチ２５がオンのとき所定方向の振動を取得し、スイッチ２５がオフのとき所定方向の振動を取得しない。
【００４９】
これにより、スイッチ２５は、振動取得部１０を人体に押し当てまたは離すという操作で声帯振動の取得可否を切り替える。そのため、骨伝導マイク１は、簡易な操作で声帯振動を取得しやすくなる。特に、骨伝導マイクは、建設現場、工事現場、工場、物流倉庫等、騒音環境下における作業中に使用されることが想定されている。本実施の形態の骨伝導マイク１は、簡易な操作で声帯振動を取得できるので、使用者の作業を邪魔せず、高い操作性が実現される。
【００５０】
また、本実施の形態において、振動取得部１０は、人体に接触する接触部材１２と、接触部材１２を介して所定方向の振動を検出する声帯センサ１１とを含む。骨伝導マイク１は、さらに、接触部材１２およびスイッチ２５を支持する筐体２１を備える。接触部材１２は、筐体２１よりも柔らかい弾性体である。
【００５１】
これにより、声帯センサ１１は、柔らかい接触部材１２を介して筐体２１に支持されるので、外部から筐体２１に伝わる振動ノイズおよび筐体２１内で発生する振動ノイズが声帯センサ１１に入りにくくなる。そのため、骨伝導マイク１は声帯振動を取得しやすくなる。
【００５２】
また、本実施の形態において、骨伝導マイク１は、さらに、振動取得部１０と筐体２１との間に位置するダイヤフラム３０を備えている。振動取得部１０は、ダイヤフラム３０を介して筐体２１に支持されている。
【００５３】
これにより、振動取得部１０の声帯センサ１１は、ダイヤフラム３０を介して筐体２１に支持されるので、外部から筐体２１に伝わる振動ノイズおよび筐体２１内で発生する振動ノイズが声帯センサ１１に入りにくくなる。そのため、骨伝導マイク１は声帯振動を取得しやすくなる。
【００５４】
また、本実施の形態において、ダイヤフラム３０は、接触部材１２よりも柔らかい弾性体である。
【００５５】
これにより、外部から筐体２１に伝わる振動ノイズおよび筐体２１内で発生する振動ノイズが、柔らかいダイヤフラム３０で吸収され、声帯センサ１１に入りにくくなる。そのため、骨伝導マイク１は声帯振動を取得しやすくなる。
【００５６】
また、本実施の形態において、筐体２１は筒状である。振動取得部１０は、スイッチ２５の操作方向に位置変位可能なように、ダイヤフラム３０を介して筐体２１に支持されている。スイッチ２５は、筐体２１の内部において振動取得部１０が位置変位する方向に配置され、位置変位した振動取得部１０に押し込まれることでオンする。そして、振動取得部１０は、上記所定方向（Ｚ方向）の振動を取得する。
【００５７】
これにより、スイッチ２５が所定方向に操作され、振動取得部１０は、所定方向の声帯振動を取得し得る状態となる。そのため、骨伝導マイク１は、簡易な操作で声帯振動を取得しやすくなる。
【００５８】
また、本実施の形態において、振動取得部１０およびスイッチ２５は、位置変位する方向（Ｚ方向）の中心軸が一致するように筐体２１の内部に配置される。
【００５９】
これにより、振動取得部１０に掛かる押圧力を効率よくスイッチ２５に伝達することができ、使用者にとっての操作性を向上させることができる。
【００６０】
また、本実施の形態において、声帯センサ１１は、厚み振動を行う圧電素子であり、圧電素子の厚み方向は、上記所定方向（Ｚ方向）と同じである。
【００６１】
これにより、声帯センサ１１は、声帯振動のうちの所定方向の振動を取得しやすくなる。
【００６２】
また、本実施の形態において、骨伝導ヘッドセット５は、骨伝導マイク１と、スピーカ５１とを備える。
【００６３】
骨伝導ヘッドセット５が骨伝導マイク１を備えることで、骨伝導ヘッドセット５は、簡易な操作で声帯振動を取得しやすくなる。
【００６４】
また、本実施の形態において、通話装置９は、骨伝導ヘッドセット５と、骨伝導ヘッドセット５に接続され、外部機器と通信を行うトランシーバ７とを備える。
【００６５】
通話装置９が上記の骨伝導ヘッドセット５を備えることで、通話装置９は、簡易な操作で声帯振動を取得しやすくなり、通話を行いやすくなる。
【００６６】
また、本実施の形態において、通話装置９は、骨伝導マイク１と、骨伝導マイク１に接続され、外部機器と通信を行うトランシーバ７とを備える。
【００６７】
通話装置９が骨伝導マイク１を備えることで、通話装置９は、簡易な操作で声帯振動を取得しやすくなり、通話を行いやすくなる。
【００６８】
（実施の形態２）
以下、図６〜１０を用いて、実施の形態２における骨伝導ヘッドセット５Ａおよび通話装置９Ａを説明する。
【００６９】
［２−１．通話装置の全体構成］
図６は、骨伝導ヘッドセット５Ａを含む通話装置９Ａを示す斜視図である。図７は、骨伝導ヘッドセット５Ａを、図６とは異なる角度から見た場合の斜視図である。図８は、骨伝導ヘッドセット５Ａの使用態様を示す斜視図である。
【００７０】
通話装置９Ａは、図６および図７に示すように、音声マイク５７およびヘッドセット本体５０を含む骨伝導ヘッドセット５Ａと、トランシーバ７とを備える。音声マイク５７は、マイクホルダ５８を介してヘッドセット本体５０に接続される。ヘッドセット本体５０は、一対のスピーカ５１および一対の耳かけ５２を有し、耳かけ５２が人体の耳に掛けられることで頭部に装着される。スピーカ５１は、ヘッドセットケーブル６を介してトランシーバ７に有線接続される。トランシーバ７は、例えば、服装の一部に取り付けられ、通信相手が所有する外部機器との通信を行う。なお、音声マイク５７は、ヘッドセット本体５０の制御部５５に接続されてもよいし、制御部５５に接続されずにトランシーバ７へ直接信号入力するように、トランシーバ７に接続されていてもよい。
【００７１】
また、骨伝導ヘッドセット５Ａは、骨伝導により声帯振動を取得する骨伝導マイク１と、骨伝導マイク１をヘッドセット本体５０に接続するためのマイクケーブル４とを有している。例えば、骨伝導マイク１は騒音環境下で使用され、音声マイク５７は騒音環境下でない場合に使用される。骨伝導マイク１および音声マイク５７は、択一的に切り替えて使用される。
【００７２】
［２−２．骨伝導ヘッドセットの構成］
骨伝導ヘッドセット５Ａは、空気を介して音を取得する音声マイク５７と、骨伝導マイク１と、ヘッドセット本体５０とを含む。なお、骨伝導マイク１は、実施の形態１と同様の構成であり、詳細説明を省略する。
【００７３】
ヘッドセット本体５０は、支持体５４と、一対のスピーカ５１とを備えている。スピーカ５１は、具体的には、鼓膜を介さずに骨伝導により音声情報を脳に伝達する骨伝導スピーカである。支持体５４は、Ｕ字状の形状をしており、互いに対向する両端部（端部５４ｂ、端部５４ｃ）と、両端部（端部５４ｂ、端部５４ｃ）の間に位置する中央部５４ａとを有している。なお、支持体５４の中央部５４ａとは、支持体５４をＵ字状の形状に沿ってみた場合の中央付近の部分をいう。一対のスピーカ５１は、互いに対向するように両端部（端部５４ｂ、端部５４ｃ）にそれぞれ支持されている。
【００７４】
支持体５４の一方の端部５４ｂには、マイクホルダ５８を介して音声マイク５７が接続され、また、マイクケーブル４を介して骨伝導マイク１が接続されている。支持体５４の他方の端部５４ｃには、ヘッドセットケーブル６を介してトランシーバ７が接続される。なお、ヘッドセットケーブル６および端部５４ｃを接続している接続部５９にコネクタを用い、端部５４ｃに対しヘッドセットケーブル６を着脱可能としてもよい。
【００７５】
支持体５４は、主に樹脂材料で形成され、内部には、弾性を有するワイヤ骨材が設けられる。また、支持体５４の内部には、音声マイク５７、骨伝導マイク１、制御部５５、スピーカ５１、および、後述するＰＴＴスイッチ６２、ミュートスイッチ６４などを接続するための配線が設けられる。支持体５４の両端部（端部５４ｂ、端部５４ｃ）は、上下（Ｚ方向）に延びた柱状の形状をしており、一対のスピーカ５１は両端部（端部５４ｂ、端部５４ｃ）の上側（Ｚ方向プラス側）に設けられている。また、両端部（端部５４ｂ、端部５４ｃ）のそれぞれには、耳かけ５２が設けられている。支持体５４の中央部５４ａには、制御部５５が内蔵されている。
【００７６】
また、支持体５４は、弾性を有し、中央部５４ａ以外の部分は撓みやすくなっている。具体的には、支持体５４は、中央部５４ａ以外の部分を撓ませ、両端部（端部５４ｂ、端部５４ｃ）の対向距離を変えることができる構造をしている。支持体５４の弾性力は、ヘッドセット本体５０を頭部に装着した場合に、スピーカ５１が耳前方の皮膚から離れず、且つ、皮膚を圧迫しすぎないように、側頭部に適度な押圧力Ｐ１がかかるように調整されている。なお、支持体５４は、ヘッドセット本体５０を装着した場合に、両端部（端部５４ｂ、端部５４ｃ）から耳の下側を迂回し、頭部の後ろ側に位置する中央部５４ａまで延びるように形成されている。耳の下側を迂回させることで眼鏡をかけやすくしている。また、頭部の後ろ側に位置する中央部５４ａまで延びるように形成することでヘルメットまたは帽子を被りやすくしている。
【００７７】
本実施の形態における骨伝導ヘッドセット５Ａは、外部機器を持った通信相手と通話を行うためのＰＴＴ（push to talk）スイッチ６２と、外部機器から入力される音を小さくするためのミュートスイッチ６４とを備えている。
【００７８】
ＰＴＴスイッチ６２は、ヘッドセットケーブル６が接続されていない端部５４ｂに設けられる。具体的には、ＰＴＴスイッチ６２は、端部５４ｂの外側面５４ｂ１に設けられる。ＰＴＴスイッチ６２は、外側面５４ｂ１に垂直な方向、すなわち顔の左側面に向かってボタンを押すことでオン状態となる。ＰＴＴスイッチ６２をオンすることで、使用者は通信相手と通話することが可能となる。なお、ＰＴＴスイッチ６２は、外側面５４ｂ１の中心からＺ方向のプラス側に設けるのが好ましい。さらには、ＰＴＴスイッチ６２は、スピーカ５１の裏面に設けるのがより好ましい。これは、使用者がボタンを押下したときにヘッドセット本体５０が頭部からずれないようにするためである。
【００７９】
ミュートスイッチ６４は、ヘッドセットケーブル６が接続されている端部５４ｃに設けられる。すなわち、ミュートスイッチ６４は、ＰＴＴスイッチ６２が設けられている端部５４ｂと反対側の端部５４ｃに設けられる。また、ミュートスイッチ６４は、接続部５９と端部５４ｂのスピーカ５１とを繋ぐ配線の間、かつ、接続部５９と端部５４ｃのスピーカ５１とを繋ぐ配線の間に挿入される。ここで、本実施の形態におけるミュートスイッチ６４とは、使用者の操作を受け付ける操作部（ボタン）と後述するスピーカ回路に設けられた抵抗および接点（スイッチ）とを含んで構成される。
【００８０】
ミュートスイッチ６４は、端部５４ｃの外側面５４ｃ１に設けられる。ミュートスイッチ６４は、外側面５４ｃ１に垂直な方向、すなわち顔の右側面に向かってボタン押すことで作動する。なお、ミュートスイッチ６４も、ＰＴＴスイッチ６２と同様に、ボタンを押下したときにヘッドセット本体が頭部からずれないようにするために、外側面５４ｃ１の中心からＺ方向のプラス側に設けるのが好ましい。より好ましくは、ミュートスイッチ６４は、端部５４ｃの外側面５４ｃ１であって、スピーカ５１の裏面に設けられるのがよい。ミュートスイッチ６４を押下している間、トランシーバ７からの音声信号の音量が小さくなる。ミュートスイッチ６４の押下を止めるとトランシーバ７からの音声信号の音量は元に戻る。
【００８１】
ここで、ミュートスイッチ６４を作動させるのに必要な押圧力は、ヘッドセット本体５０を装着した時に側頭部が受ける押圧力Ｐ１の１／２から１／４程度となるように設定されている（図８参照）。つまり、押圧力Ｐ１よりも小さい力に設定されていることで、ミュートスイッチ６４を押下したときにヘッドセット本体５０が頭部から外れてしまうのを防止する。
【００８２】
図９は、実施の形態２における骨伝導ヘッドセット５Ａのスピーカ回路を示す回路図である。
【００８３】
本実施の形態におけるスピーカ回路では、スピーカ５１のプラス側配線とグランド側配線との間に、抵抗およびミュートスイッチ６４をバイパス挿入している。利用者がミュートスイッチ６４のボタンを押下すると接点が閉じる。これにより、スピーカ回路に抵抗が接続されてスピーカ５１から出力する音のレベルが小さくなる。
【００８４】
図１０は、骨伝導ヘッドセット５Ａを含む通話装置９Ａの制御構成を示すブロック図である。
【００８５】
図１０に示すように、ヘッドセット本体５０は、制御部５５と、スピーカ５１とを有している。制御部５５は、ＣＰＵ（central processing unit）、ＲＡＭ（random access memory）およびＲＯＭ（read only memory）などにより構成される。スピーカ５１は、具体的には、骨伝導スピーカであり、ミュートスイッチ６４を介してトランシーバ７に接続されている。
【００８６】
音声マイク５７および骨伝導マイク１は、制御部５５に接続されている。ＰＴＴスイッチ６２は制御部５５に接続されている。また、制御部５５は、信号ライン７１によってトランシーバ７に接続されている。ミュートスイッチ６４は、信号ライン７１と異なる信号ラインであって、トランシーバ７から出力される音声ライン７２上に設けられている。ヘッドセット本体５０の音声ライン７２にはトランシーバ７から音声信号が入力される入力部７３を備える。入力部７３は、ミュートスイッチ６４と同じく端部５４ｃに設けられている。入力部７３に入力された音声信号は、骨伝導スピーカ５１に入力される。
【００８７】
通話装置９Ａは、トランシーバ７を介して、通信相手が所有する外部機器と無線で通信する。具体的には、音声マイク５７および骨伝導マイク１から出力された信号は、ヘッドセット本体５０を介してトランシーバ７に入力さる。さらにトランシーバ７を介して通信相手の外部機器に送信される。一方、外部機器から送信された信号は、トランシーバ７で受信され、アナログ変換される。さらにヘッドセットケーブル６およびミュートスイッチ６４を介してスピーカ５１から出力される。トランシーバ７の通信方式としては、例えば、４２２ＭＨｚ帯または４４０ＭＨｚ帯の周波数帯が用いられる。なお、骨伝導ヘッドセット５Ａは、トランシーバ７を介して、複数の外部の通信機器と通信を行ってもよい。
【００８８】
通信相手と通話を行う場合は、使用者はＰＴＴスイッチ６２を押すことで通信可能となる。通信相手からの音声を小さくする場合は、使用者はミュートスイッチ６４を押すことで弱音することができる。
【００８９】
［２−３．効果等］
以上のように、本実施の形態において、骨伝導ヘッドセット５Ａは、Ｕ字形の支持体５４と、支持体５４の一方の端部である第１の端部５４ｂおよび第１の端部５４ｂの反対側に位置する第２の端部５４ｃのそれぞれに備えられた一対の骨伝導スピーカ５１と、第１の端部５４ｂに接続された音声マイク５７と、第１の端部５４ｂまたは第２の端部５４ｃの何れかに設けられ、骨伝導スピーカ５１の音量が小さくなるよう制御するミュートスイッチ６４とを備える。
【００９０】
これにより、使用者は骨伝導ヘッドセット５Ａに備えられたミュートスイッチ６４を操作することで骨伝導スピーカ５１の音量を下げることができる。例えば、骨伝導ヘッドセット５Ａを装着した使用者が周囲の人との会話中に、骨伝導スピーカ５１にトランシーバ７からの通話が入った場合には、周囲の人との会話が困難になる。そこで、使用者はミュートスイッチ６４を操作して骨伝導スピーカ５１の音量を小さくすることにより、円滑な会話を継続することが可能となる。
【００９１】
また、本実施の形態において、一対の骨伝導スピーカ５１は、スピーカ回路を含み、ミュートスイッチ６４は、使用者の操作を受け付けるボタンと、スピーカ回路に接続可能な抵抗と、抵抗をスピーカ回路に接続させるスイッチとを含む。ボタンが操作されるとスイッチが閉じ、抵抗がスピーカ回路に接続されることにより、骨伝導スピーカ５１の音量が小さくなる。
【００９２】
このようにすることで、骨伝導ヘッドセット５Ａは、骨伝導スピーカ５１の音を完全に消すのでなく音量を下げることができる。仮に音を完全に消してしまうと、通信相手から作業に必要な指示があった場合や、通信相手に対して応答する必要があった場合にも応答することができない。しかし、音を完全に消すのではなく音量を小さくすることにより、必要に応じて応答をすることができる。
【００９３】
また、本実施の形態において、ミュートスイッチ６４が設けられていない第１の端部５４ｂまたは第２の端部５４ｃには音声マイク５７の入力のオンオフを切り替えるＰＴＴスイッチ６２が設けられている。
【００９４】
これにより、ＰＴＴスイッチ６２とミュートスイッチ６４とが異なる端部５４ｂ、５４ｃにそれぞれ設けられるので、ＰＴＴスイッチ６２とミュートスイッチ６４との押し間違いが少なくなる。
【００９５】
また、本実施の形態において、骨伝導ヘッドセット５Ａは、トランシーバ７を接続するための接続部５９およびヘッドセットケーブル６を備え、トランシーバ７を介して、複数の外部の通信機器と通信を行う。
【００９６】
これにより、骨伝導ヘッドセット５Ａは、複数の外部の通信機器と通信を行うことができる。このような状況において、トランシーバ７から自身に無関係の通話があった場合には、使用者はミュートスイッチ６４を操作して骨伝導スピーカ５１の音量を小さくすることができる。自身に無関係の通話の音量が小さくなることで、使用者は、周囲の人との会話を円滑に行うことができ、さらに、自らの作業に集中することができる。
【００９７】
また、本実施の形態において、骨伝導ヘッドセット５Ａは、Ｕ字状の支持体５４と、支持体５４の一方の端部５４ｂおよび他方の端部５４ｃにそれぞれ設けられたスピーカ５１と、外部機器からの音声を入力するためのヘッドセットケーブル６と、外部機器から入力される音を小さくするミュートスイッチ６４とを備えている。ヘッドセットケーブル６およびミュートスイッチ６４は、一方の端部５４ｂおよび他方の端部５４ｃのいずれかであって、同じ端部に設けられる。
【００９８】
また、本実施の形態において、第２の端部５４ｃにはトランシーバ７からの音声信号が入力される入力部７３を備え、ミュートスイッチ６４は第２の端部５４ｃに設けられる。
【００９９】
これにより、支持体５４の内部配線の引き回しが簡略化される。仮に、ヘッドセットケーブル６および入力部７３を端部５４ｂに、ミュートスイッチ６４を端部５４ｃに設けた場合、ヘッドセットケーブル６および入力部７３が接続された端部５４ｂの配線を、支持体５４の内部を通して端部５４ｃのミュートスイッチ６４に接続し、さらにその配線を戻して、支持体５４の内部を通して端部５４ｂのスピーカ５１に接続する必要がある。本実施の形態では、ヘッドセットケーブル６および入力部７３とミュートスイッチ６４とを支持体５４の同じ端部に設けるので、戻して配線する必要がなく、配線長が短くなる。そのため、骨伝導ヘッドセット５Ａの内部配線を簡略化しやすくなる。
【０１００】
また、本実施の形態において、ミュートスイッチ６４を作動させるために必要な押圧力は、ヘッドセット本体５０を装着した時に側頭部が受ける押圧力Ｐ１の１／２から１／４である。
【０１０１】
これにより、ミュートスイッチ６４を押した際に、頭部から骨伝導ヘッドセット５Ａがずれるのが防ぎやすくなる。
【０１０２】
また、本実施の形態において、ミュートスイッチ６４の操作部（ボタン）は、第１の端部５４ｂの外側面５４ｂ１または第２の端部５４ｃの外側面５４ｃ１であって、外側面５４ｂ１または外側面５４ｃ１の中心より上側、すなわちＺ方向プラス側に配置されている。
【０１０３】
これにより、ミュートスイッチ６４を押した際に、頭部から骨伝導ヘッドセット５Ａがずれるのが防ぎやすくなる。
【０１０４】
［２−４．変形例］
実施の形態２では支持体５４の一方の端部５４ｂにマイクホルダ５８を介して音声マイク５７が接続され、また、マイクケーブル４を介して骨伝導マイク１が接続されている。
【０１０５】
ここでは、実施の形態２の変形例として、ヘッドセット本体５０に対して、骨伝導マイク１と音声マイク５７とを着脱可能かつ交換可能に接続する場合について説明する。
【０１０６】
まず、ヘッドセット本体５０の端部５４ｂにコネクタ１７０を有する接続部を１個設ける。また、骨伝導マイク１を接続するマイクケーブル４の端部であって、ヘッドセット本体５０に接続する側の端部にコネクタ１８０を用いる。また、音声マイク５７を接続するマイクホルダ５８の端部であって、骨伝導ヘッドセット５Ａに接続する側の端部にコネクタ１９０を用いる。この構成により、ヘッドセット本体５０に対し骨伝導マイク１と音声マイク５７とを着脱可能かつ交換可能とする。
【０１０７】
この際、端部５４ｂの接続部に音声マイク５７が接続された場合はＰＴＴスイッチ６２がオンになっている場合に通信相手と通話することが可能となり、骨伝導マイク１が接続された場合はスイッチ２５がオンになっている場合に通信相手と通話することが可能とするとよい。
【０１０８】
以下、図１１、図１２を用いてヘッドセット本体５０に設けられたＰＴＴスイッチ６２と骨伝導マイク１に設けられたスイッチ２５の動作について説明する。
【０１０９】
図１１は、実施の形態２の変形例１に関する回路図であって、（ａ）はヘッドセット本体５０の回路図、（ｂ）は骨伝導マイク１の回路図、（ｃ）は音声マイク５７の回路図である。
【０１１０】
図１１の（ａ）に示すように、端部５４ｂの接続部のコネクタ１７０はメスのステレオジャック（３極ジャック）である。コネクタ１７０のチップ１７１（Ｌｃｈ）はＰＴＴスイッチ６２を経由して制御部５５に接続されている。コネクタ１７０のリング１７２（Ｒｃｈ）は直接、制御部５５に接続されている。コネクタ１７０のスリーブ１７３（ＧＮＤ）はＧＮＤに接続されている。
【０１１１】
図１１の（ｂ）に示すように、骨伝導マイク１のコネクタ１８０はオスのステレオジャック（３極ジャック）である。声帯センサ１１で拾われた信号はコネクタ１８０のリング１８２（Ｒｃｈ）から出力される。声帯センサ１１とリング１８２（Ｒｃｈ）との間にはスイッチ２５が挿入されている。スイッチ２５の詳細については、実施の形態１で説明したとおりである。
【０１１２】
また、図１１の（ｃ）に示すように、音声マイク５７のコネクタ１９０はオスのステレオジャック（３極ジャック）である。音声マイク５７で拾われた信号はコネクタ１９０のチップ１９１（Ｌｃｈ）から出力される。
【０１１３】
このような構成にすることで、骨伝導マイク１をヘッドセット本体５０に接続する場合は、コネクタ１７０にコネクタ１８０が挿入されるので、骨伝導マイク１に設けられたスイッチ２５で会話を制御することができる。一方、音声マイク５７をヘッドセット本体５０に接続する場合は、コネクタ１７０にコネクタ１９０が挿入されるので、骨伝導ヘッドセット５Ａの端部５４ｂに設けられたＰＴＴスイッチ６２で会話を制御することができる。
【０１１４】
図１２は、実施の形態２の変形例２に関する回路図であって、（ａ）はヘッドセット本体５０の回路図、（ｂ）は骨伝導マイク１の回路図、（ｃ）は音声マイク５７の回路図である。
【０１１５】
図１１で説明した変形例１の回路図では、音声マイク５７のコネクタ１９０としてステレオジャック（３極ジャック）を用いていた。しかし、一般的な音声マイクではモノラルジャック（２極ジャック）が用いられている場合も多い。変形例１の回路図でモノラルジャックのコネクタを使用した場合はコネクタ１７０のリング１７２（Ｒｃｈ）がＧＮＤとなりチップ１７１（Ｌｃｈ）に電流が流れなくなることがある。
【０１１６】
そこで、変形例２では、音声マイク５７がモノラルジャックのコネクタ１９５を有する場合に対応した回路図について説明する。
【０１１７】
図１２に示す回路は、以下の二つの点において、図１１に示した回路と構成が異なる。まず、音声マイク５７のコネクタ１９５がモノラルジャック（２極ジャック）になっている点である。さらに、ヘッドセット本体５０のコネクタ１７０のリング１７２（Ｒｃｈ）と制御部５５との間にトランジスタ１７４、トランジスタ１７５を含む回路が設けられている点である。
【０１１８】
以下、図１２に示す回路の動作について説明する。
【０１１９】
ヘッドセット本体５０のコネクタ１７０に音声マイク５７のコネクタ１９５（モノラルジャック）が挿入された時は、コネクタ１７０のリング１７２（Ｒｃｈ）がＧＮＤとなる。トランジスタ１７４のベースが０Ｖとなり、トランジスタ１７４のコレクタはＨｉｇｈとなる。トランジスタ１７５のゲートがＨｉｇｈとなり、トランジスタ１７５はＯＦＦになる。よって、コネクタ１７０のリング１７２（Ｒｃｈ）には電流は流れず、ヘッドセット本体５０のＰＴＴスイッチ６２がオンになった場合にコネクタ１７０のチップ１７１（Ｌｃｈ）に電流が流れる。
【０１２０】
一方、ヘッドセット本体５０のコネクタ１７０に骨伝導マイク１のコネクタ１８０が挿入された時は、リング１７２（Ｒｃｈ）がＧＮＤではない。したがって、トランジスタ１７４のベースに電圧がかかりトランジスタ１７４のベースがＨｉｇＨ、トランジスタ１７４のエミッターがＬｏｗになるのでトランジスタ１７４のコレクタはＬｏｗとなる。そうすると、トランジスタ１７５のゲートがＬｏｗとなるのでトランジスタ１７５はＯＮとなり、コネクタ１７０のリング１７２（Ｒｃｈ）に電流が流れる。
【０１２１】
続いて、ヘッドセット本体５０の制御部５５がマイクで取得した音声をトランシーバ７への送信する場合、および、トランシーバ７から受信した音声を骨伝導スピーカ５１への出力する場合の回路について図１３、図１４を用いて説明する。
【０１２２】
図１３は、実施の形態２の変形例３に関する回路図であって、（ａ）はヘッドセット本体５０の回路図、（ｂ）は骨伝導マイク１の回路図、（ｃ）は音声マイク５７の回路図である。
【０１２３】
図１３に示す変形例３では音声マイク５７と骨伝導マイク１とが択一的にヘッドセット本体５０のコネクタ２２０に接続される。また、トランシーバ７がヘッドセット本体５０のコネクタ２００に接続される。コネクタ２００は、ヘッドセットケーブル６の先端に位置する。一例として、マイクとのコネクタ２２０は３極ジャック（メス）であり、トランシーバ７とのコネクタ２００は４極プラグ（オス）である。ここで、ヘッドセット本体５０に接続するトランシーバ７はＰＴＴスイッチの押下をコネクタ２００のスリーブ２０４の電圧降下（例えば３Ｖから２Ｖ）で検出するタイプのトランシーバ（以下トランシーバＡタイプと呼ぶ）であるとする。
【０１２４】
図１３の（ａ）に示すように、コネクタ２２０のチップ２２１（Ｌｃｈ）はＰＴＴスイッチ２３０を経由してコネクタ２００のスリーブ２０４（Ｍｉｃ）に接続されている。コネクタ２２０のリング２２２（Ｒｃｈ）はコネクタ２００のスリーブ２０４に接続されている。コネクタ２２０のスリーブ２２３（ＧＮＤ）はコネクタ２００のリング１＿２０３（ＧＮＤ）に接続されている。また、コネクタ２００のリング２＿２０２（音声−）およびチップ２０１（音声＋）は、スピーカ２１１（Ｌｃｈ）およびスピーカ２１２（Ｒｃｈ）に接続されている。
【０１２５】
図１３の（ｂ）の骨伝導マイクの回路図と（ｃ）の音声マイク５７の回路は図１１の（ｂ）、（ｃ）と同様であるためここでは説明を省略する。
【０１２６】
続いて、２種類のマイクのそれぞれとトランシーバＡタイプとを組み合わせ時の動作について説明する。
【０１２７】
（音声マイクとトランシーバＡタイプの組み合わせ）
ヘッドセット本体５０で音声マイク５７を利用する場合のＰＴＴ機能は、ヘッドセット本体５０のＰＴＴスイッチ２３０を利用する。ＰＴＴスイッチ２３０が押された場合、コネクタ２００のスリーブ２０４は、コネクタ２２０のチップ２２１、コネクタ１９０のチップ１９１、音声マイク５７、コネクタ１９０のスリーブ１９３、コネクタ２２０のスリーブ２２３を経由してＧＮＤ（コネクタ２００のリング１＿２０３）に接続されるため、電圧降下が発生する。トランシーバ７はコネクタ２００のスリーブ２０４の電圧降下を検知し、ＰＴＴスイッチ２３０が押されたことを検出する。
【０１２８】
（骨伝導マイクとトランシーバＡタイプの組み合わせ）
ヘッドセット本体５０で骨伝導マイク１を利用する場合のＰＴＴ機能は、骨伝導マイク１のスイッチ２５を利用する。骨伝導マイク１のスイッチ２５が押された場合、コネクタ２００のスリーブ２０４は、コネクタ２２０のリング２２２、骨伝導マイク１のリング１８２、スイッチ２５、声帯センサ１１、骨伝導マイク１のスリーブ１８３、コネクタ２２０のスリーブ２２３を経由してＧＮＤ（コネクタ２００のリング１＿２０３）に接続されるため、電圧降下が発生する。トランシーバ７はコネクタ２００のスリーブ２０４の電圧降下を検知し、ＰＴＴスイッチが押されたことを検出する。
【０１２９】
このように変形例３では、トランシーバ７は、マイクの種類によらずＰＴＴスイッチ２３０の押下を検出することができる。
【０１３０】
続いて、図１４および図１５Ａ〜１５Ｆを参照して実施の形態２の変形例４について説明する。図１４は、変形例４に関する回路図であって、（ａ）はヘッドセット本体５０の回路図、（ｂ）は骨伝導マイク１の回路図、（ｃ）は音声マイク５７の回路図である。
【０１３１】
変形例４では図１４に示される音声マイク５７と骨伝導マイク１とが択一的にヘッドセット本体５０のコネクタ３２０に接続される。また、トランシーバ７がヘッドセット本体５０のコネクタ３００に接続される。コネクタ３００は、ヘッドセットケーブル６の先端に位置する。一例として、マイクとのコネクタ３２０は３極ジャック（メス）であり、トランシーバ７とのコネクタ３００は４極プラグ（オス）である。
【０１３２】
変形例４では、ヘッドセット本体５０に接続するトランシーバ７は、上記のトランシーバＡタイプに加え、トランシーバＢタイプ、および、スマートフォンタイプの３種類が存在する。トランシーバＢタイプとは、コネクタ３００のリング２＿３０２の電圧降下（例えば３Ｖから０Ｖ）でＰＴＴスイッチの検出を行うタイプのトランシーバである。
【０１３３】
スマートフォンタイプとは、ＰＴＴスイッチの検出を行わず、常時マイクをオンにするトランシーバ機能を持つスマートフォンである。
【０１３４】
図１４の（ａ）に示すように、ヘッドセット本体５０ではマイク側のコネクタ３２０のチップ３２１（Ｌｃｈ）はトランシーバ側のコネクタ３００のリング２＿３０２と、ＰＴＴスイッチ３４０を経由してコネクタ３００のリング１＿３０３とに接続されている。コネクタ３２０のリング３２２（Ｒｃｈ）は、コネクタ３００のリング１＿３０３（ＧＮＤ）に接続されている。コネクタ３２０のスリーブ３２３（ＧＮＤ）はコネクタ３００のスリーブ３０４（Ｍｉｃ）に接続されている。また、コネクタ３００のリング１＿３０３およびチップ３０１は、左スピーカ３３１および右スピーカ３３２に接続されている。
【０１３５】
図１４の（ｂ）に示すように、骨伝導マイク１のコネクタ３６０はオスのステレオジャック（３極ジャック）である。声帯センサ１１で拾われた信号はコネクタ３６０のチップ３６１（Ｌｃｈ）とＰＴＴスイッチ３７０を介したリング３６２（Ｒｃｈ）とから出力される。
【０１３６】
図１４の（ｃ）の音声マイクの回路は図１１の（ｃ）に示される音声マイクの回路と同様であるためここでは説明を省略する。
【０１３７】
続いて、２種類のマイクと３種類のトランシーバとのそれぞれの組み合わせ時の動作について説明する。
【０１３８】
（音声マイクとトランシーバＡタイプの組み合わせ）
図１５Ａは、ヘッドセット本体５０に音声マイク５７とトランシーバＡタイプのトランシーバ７とを接続した場合の動作について説明するための図である。
【０１３９】
ヘッドセット本体５０で音声マイク５７を利用する場合のＰＴＴ機能は、（ａ）に示すヘッドセット本体５０のＰＴＴスイッチ３４０を利用する。ＰＴＴスイッチ３４０が押された場合、コネクタ３００のスリーブ３０４は、コネクタ３２０のスリーブ３２３、音声マイク５７のスリーブ１９３、音声マイク５７のチップ１９１、ＰＴＴスイッチ３４０を経由してＧＮＤ３１０に接続されるため、電圧降下が発生する。トランシーバ７はコネクタ３００のスリーブ３０４の電圧降下を検知し、ＰＴＴスイッチ３４０が押されたことを検出することができる。ここで、ＰＴＴスイッチ３４０は、実施の形態２のミュートスイッチ６４と同様の構成および機能を有する。
【０１４０】
（骨伝導マイクとトランシーバＡタイプの組み合わせ）
図１５Ｂは、ヘッドセット本体５０に骨伝導マイク１とトランシーバＡタイプのトランシーバ７とを接続した場合の動作について説明するための図である。
【０１４１】
ヘッドセット本体５０で骨伝導マイク１を利用する場合のＰＴＴ機能は（ｂ）に示す骨伝導マイク１のＰＴＴスイッチ３７０を利用する。骨伝導マイク１のＰＴＴスイッチ３７０が押された場合、コネクタ３００のスリーブ３０４はコネクタ３２０のスリーブ３２３、骨伝導マイク１のスリーブ３６３、ＰＴＴスイッチ３７０、骨伝導マイク１のリング３６２を経由してＧＮＤ３１０に接続されるため、電圧降下が発生する。トランシーバ７はコネクタ３００のスリーブ３０４の電圧降下を検知し、ＰＴＴスイッチ３７０が押されたことを検出することができる。ここで、ＰＴＴスイッチ３７０は、実施の形態１のスイッチ２５と同様の構成および機能を有する。
【０１４２】
（音声マイクとトランシーバＢタイプの組み合わせ）
図１５Ｃは、ヘッドセット本体５０に音声マイク５７とトランシーバＢタイプのトランシーバ７とを接続した場合の動作について説明するための図である。
【０１４３】
ヘッドセット本体５０で音声マイク５７を利用する場合のＰＴＴ機能は（ａ）に示すヘッドセット本体５０のＰＴＴスイッチ３４０を利用する。ヘッドセット本体５０のＰＴＴスイッチ３４０が押されていない状態では、トランシーバ７からコネクタ３００のスリーブ３０４（Ｍｉｃ）に電圧が供給され、コネクタ３２０のスリーブ３２３、音声マイク５７、コネクタ３２０のチップ３２１を経由してコネクタ３００のリング２＿３０２（ＰＴＴスルー）には電圧が供給されている。一方、ヘッドセット本体５０のＰＴＴスイッチ３４０を押すと、コネクタ３００のリング２＿３０２はＰＴＴスイッチ３４０を経由してＧＮＤ３１０に接続され電圧降下が発生する。トランシーバ７はコネクタ３００のリング２＿３０２の電圧降下を検知し、ＰＴＴスイッチが押されたことを検出することができる。
【０１４４】
（骨伝導マイクとトランシーバＢタイプの組み合わせ）
図１５Ｄは、ヘッドセット本体５０に骨伝導マイク１とトランシーバＢタイプのトランシーバ７とを接続した場合の動作について説明するための図である。
【０１４５】
ヘッドセット本体５０で骨伝導マイク１を利用する場合のＰＴＴ機能は（ｂ）に示す骨伝導マイク１のＰＴＴスイッチ３７０を利用する。骨伝導マイク１のＰＴＴスイッチ３７０が押されていない状態では、トランシーバ７からコネクタ３００のスリーブ３０４より電圧が供給され、コネクタ３２０のスリーブ３２３、音声マイク５７、コネクタ３２０のチップ３２１を経由してコネクタ３００のリング２＿３０２（ＰＴＴスルー）には電圧が供給されている。一方、骨伝導マイク１のＰＴＴスイッチ３７０を押すと、コネクタ３００のリング２＿３０２は骨伝導マイク１のチップ３６１、ＰＴＴスイッチ３７０、骨伝導マイク１のリング３６２を経由してＧＮＤ３１０に接続され電圧降下が発生する。トランシーバ７はコネクタ３００のリング２＿３０２の電圧降下を検知し、ＰＴＴスイッチが押されたことを検出する。
【０１４６】
（音声マイクとスマートフォンタイプの組み合わせ）
図１５Ｅは、ヘッドセット本体５０に音声マイク５７とスマートフォンタイプのトランシーバ７とを接続した場合の動作について説明するための図である。
【０１４７】
ヘッドセット本体５０にスマートフォンタイプのトランシーバ７を接続する場合には、（ａ）に示すコネクタ３００のリング１＿３０３とリング２＿３０２とを短絡させるパーツをコネクタ３００とトランシーバ７との間に挿入する（図示せず）。以下、パーツが挿入されコネクタ３００のリング１＿３０３とリング２＿３０２が短絡した状態であるものとして説明する。
【０１４８】
コネクタ３００のリング２＿３０２はコネクタ３００のリング１＿３０３と短絡されているためＧＮＤになり、コネクタ３２０のチップ３２１はＧＮＤとなる。このとき（ｂ）に示す音声マイク５７のコネクタ１９０のチップ１９１もＧＮＤになるので、音声マイク５７は常時動作状態となる。したがって、使用者はヘッドセット本体５０のＰＴＴスイッチ３４０を押下しなくとも、音声マイク５７を用いて通話することができる。
【０１４９】
（骨伝導マイクとスマートフォンタイプの組み合わせ）
図１５Ｆは、ヘッドセット本体５０に骨伝導マイク１とスマートフォンタイプのトランシーバ７とを接続した場合の動作について説明するための図である。
【０１５０】
ヘッドセット本体５０にスマートフォンタイプのトランシーバを接続する場合には、（ａ）に示すコネクタ３００のリング１＿３０３とリング２＿３０２とを短絡させるパーツをコネクタ３００とトランシーバ７との間に挿入する（図示せず）。以下、パーツが挿入されコネクタ３００のリング１＿３０３とリング２＿３０２が短絡した状態であるものとして説明する。
【０１５１】
コネクタ３００のリング２＿３０２はコネクタ３００のリング１＿３０３と短絡されているためＧＮＤになり、コネクタ３２０のチップ３２１はＧＮＤとなる。このとき（ｂ）に示す骨伝導マイク１のコネクタ３６０のチップ３６１もＧＮＤになるので、骨伝導マイク１は常時動作状態となる。したがって、使用者は骨伝導マイク１のＰＴＴスイッチ３７０を押下しなくとも、骨伝導マイク１を用いて通話することができる。
【０１５２】
このように、変形例４のヘッドセット本体５０は２種類のマイクと３種類のトランシーバとのどの組み合わせの場合でも動作する。
【０１５３】
（変形例４の効果等）
以上説明したように、変形例４は、音声入出力装置であるヘッドセット本体５０とマイク装置とから成る骨伝導ヘッドセットシステムである。ヘッドセット本体５０は、通話スイッチであるＰＴＴスイッチ３４０と、骨伝導スピーカと、マイク（１、５７）が接続される第１コネクタであるコネクタ３２０と、トランシーバ７が接続される第２コネクタであるコネクタ３００とを備える。コネクタ３２０は、スリーブ３２３、リング３２２、チップ３２１の順に３接点を有し、コネクタ３００は、スリーブ３０４、リング１＿３０３、リング２＿３０２、チップ３０１の順に４接点を有する。コネクタ３２０のスリーブ３０４は、コネクタ３００のスリーブ３２３と接続され、コネクタ３２０のリング３２２はグランドに接続され、コネクタ３２０のチップ３２１はコネクタ３００のリング２＿３０２と接続されるとともに、ＰＴＴスイッチ３４０を介してグランドと接続される。マイク装置は、マイク（１、５７）とマイク（１、５７）をヘッドセット本体５０に接続する第３コネクタであるコネクタ（３６０、１９０）とを備える。コネクタ（３６０、１９０）は、チップ（３６１、１９１）、リング（３６２）、スリーブ（３６３、１９３）の順に３接点を有し、コネクタ（３６０、１９０）のスリーブ（３６３、１９３）は、マイク（１、５７）の一つの端子に接続し、コネクタ（３６０、１９０）のチップ（３６１、１９１）はマイク（１、５７）の他の端子に接続する。コネクタ（３６０、１９０）はヘッドセット本体５０のコネクタ３２０に接続する。
【０１５４】
これにより、骨伝導ヘッドセットシステムは、コネクタ３００に接続されるトランシーバがタイプＡであってもタイプＢであっても、ＰＴＴスイッチ３４０の押下を検出することができる。
【０１５５】
また、変形例４の骨伝導ヘッドセットシステムにおいて、コネクタ３２０は、プラグ挿入口から順にスリーブ３２３、リング３２２、チップ３２１の３接点を有する３極ジャックである。コネクタ３００は、プラグ挿入口から順にスリーブ３０４、リング１＿３０３、リング２＿３０２、チップ３０１の４接点を有する４極ジャックである。コネクタ（３６０、１９０）は、先端から順に、チップ（３６１、１９１）、リング（３６２）、スリーブ（３６３、１９３）の３接点を有する３極プラグである。３極プラグであるコネクタ（３６０、１９０）が３極ジャックであるコネクタ（３２０）に挿入されることにより、マイク（１、５７）はヘッドセット本体５０に接続される。
【０１５６】
これにより、骨伝導ヘッドセットシステムは、コネクタ３００に接続されるトランシーバがタイプＡであってもタイプＢであっても、ＰＴＴスイッチ３４０の押下を検出することができる。
【０１５７】
また、変形例４は、ヘッドセット本体５０と骨伝導マイク１とから成る骨伝導ヘッドセットシステムである。ヘッドセット本体５０は、ＰＴＴスイッチ３４０と、骨伝導スピーカと、骨伝導マイク１が接続されるコネクタ３２０と、トランシーバ７が接続されるコネクタ３００とを備える。コネクタ３２０は、スリーブ３２３、リング３２２、チップ３２１の順に３接点を有し、コネクタ３００は、スリーブ３０４、リング１＿３０３、リング２＿３０２、チップ３０１の順に４接点を有する。コネクタ３２０のスリーブ３０４は、コネクタ３００のスリーブ３２３と接続され、コネクタ３２０のリング３２２はグランドに接続され、コネクタ３２０のチップ３２１はコネクタ３００のリング２＿３０２と接続されるとともに、ＰＴＴスイッチ３４０を介してグランドと接続される。マイク装置は、骨伝導マイク１と骨伝導マイク１をヘッドセット本体５０に接続するコネクタ３６０とＰＴＴスイッチ３７０とを備える。コネクタ３６０は、チップ３６１、リング３６２、スリーブ３６３の順に３接点を有する。スリーブ３６３は骨伝導マイク１のプラス側端子に接続し、チップ３６１は骨伝導マイク１のマイナス側の端子に接続し、リング３６２は、ＰＴＴスイッチ３７０を介して骨伝導マイク１のマイナス側の端子と接続する。
【０１５８】
これにより、骨伝導ヘッドセットシステムは、コネクタ３００に接続されるトランシーバがタイプＡであってもタイプＢであっても、ＰＴＴスイッチ３４０の押下を検出することができる。さらに、コネクタ３００に骨伝導マイク１が接続された場合には、骨伝導マイク１のＰＴＴスイッチ３７０を用いて通話することができる。
【０１５９】
また、変形例４の骨伝導ヘッドセットシステムにおいて、骨伝導スピーカは、左スピーカ３３１および右スピーカ３３２を含む。コネクタ３００のリング１＿３０３は左スピーカ３３１および右スピーカ３３２の一方と接続され、コネクタ３００のチップ３０１は左スピーカ３３１および右スピーカ３３２の他方と接続されている。
【０１６０】
これにより、骨伝導ヘッドセットシステムは、コネクタ３００に接続されるトランシーバ７の音声を左スピーカ３３１および右スピーカ３３２から出力することができる。
【０１６１】
また、変形例４の骨伝導ヘッドセットシステムにおいて、コネクタ３００にスマートフォンタイプのトランシーバ７を接続する場合には、コネクタ３００のリング１＿３０３およびリング２＿３０２は短絡されている。例えば、リング１＿３０３とリング２＿３０２とを短絡させるパーツを、コネクタ３００とトランシーバ７との間に挿入してもよい。
【０１６２】
これにより、コネクタ３００のリング２＿３０２はコネクタ３００のリング１＿３０３と短絡されているためグランドになり、コネクタ３２０のチップ３２１はグランドとなる。この場合、コネクタ３２０に接続されるコネクタ３６０のチップ３６１もグランドになるので、骨伝導マイク１は常時動作状態となる。また、コネクタ３２０に接続されるコネクタ１９０のチップ１９１もグランドになるので、音声マイク５７は常時動作状態となる。そのため、ＰＴＴスイッチ３４０およびＰＴＴスイッチ３７０を押下しなくても通話が可能となる。以上より、骨伝導ヘッドセットシステムは、コネクタ３００に接続されるトランシーバがスマートフォンタイプであっても正常に動作する。
【０１６３】
また、変形例４は、ＰＴＴスイッチ３４０と、骨伝導スピーカと、マイクが接続されるコネクタ３２０と、トランシーバ７が接続されるコネクタ３００とを備えるヘッドセット本体５０である。コネクタ３２０は、スリーブ３２３、リング３２２、チップ３２１の順に３接点を有し、コネクタ３００は、スリーブ３０４、リング１＿３０３、リング２＿３０２、チップ３０１の順に４接点を有する。コネクタ３２０のスリーブ３０４は、コネクタ３００のスリーブ３２３と接続され、コネクタ３２０のリング３２２はグランドに接続され、コネクタ３２０のチップ３２１はコネクタ３００のリング２＿３０２と接続されるとともに、ＰＴＴスイッチ３４０を介してグランドと接続される。
【０１６４】
これにより、ヘッドセット本体５０は、コネクタ３００に接続されるトランシーバがタイプＡであってもタイプＢであっても、ＰＴＴスイッチ３４０の押下を検出することができる。
【０１６５】
また、変形例４のヘッドセット本体５０において、コネクタ３２０は、プラグ挿入口から順にスリーブ３２３、リング３２２、チップ３２１の３接点を有する３極ジャックである。コネクタ３００は、プラグ挿入口から順にスリーブ３０４、リング１＿３０３、リング２＿３０２、チップ３０１の４接点を有する４極ジャックである。
【０１６６】
これにより、ヘッドセット本体５０は、コネクタ３００に接続されるトランシーバがタイプＡであってもタイプＢであっても、ＰＴＴスイッチ３４０の押下を検出することができる。
【０１６７】
また、変形例４のヘッドセット本体５０において、骨伝導スピーカは、左スピーカ３３１および右スピーカ３３２を含む。コネクタ３００のリング１＿３０３は左スピーカ３３１および右スピーカ３３２の一方と接続され、コネクタ３００のチップ３０１は左スピーカ３３１および右スピーカ３３２の他方と接続されている。
【０１６８】
これにより、ヘッドセット本体５０は、コネクタ３００に接続されるトランシーバ７の音声を左スピーカ３３１および右スピーカ３３２から出力することができる。
【０１６９】
また、変形例４のヘッドセット本体５０において、コネクタ３００にスマートフォンタイプのトランシーバ７を接続する場合、コネクタ３００のリング１＿３０３およびリング２＿３０２は短絡されている。例えば、リング１＿３０３とリング２＿３０２とを短絡させるパーツを、コネクタ３００とトランシーバ７との間に挿入してもよい。
【０１７０】
これにより、コネクタ３００のリング２＿３０２はコネクタ３００のリング１＿３０３と短絡されているためグランドになり、コネクタ３２０のチップ３２１はグランドとなる。この場合、コネクタ３２０に接続されるコネクタ３６０のチップ３６１もグランドになるので、骨伝導マイク１は常時動作状態となる。また、コネクタ３２０に接続されるコネクタ１９０のチップ１９１もグランドになるので、音声マイク５７は常時動作状態となる。そのため、ＰＴＴスイッチ３４０およびＰＴＴスイッチ３７０を押下しなくても通話が可能となる。以上より、ヘッドセット本体５０は、コネクタ３００に接続されるトランシーバがスマートフォンタイプであっても正常に動作する。
【０１７１】
（他の実施の形態）
以上のように、本開示における技術の例示として、実施の形態および変形例を説明した。そのために、添付図面および詳細な説明を提供した。
【０１７２】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１７３】
また、上述の実施の形態および変形例は、本開示における技術を例示するためのものであるから、特許請求の範囲またはその均等の範囲において種々の変更、置き換え、付加、省略などを行うことができる。
【０１７４】
例えば、声帯センサ１１は、圧電素子に限られず、加速度ピックアップ計または差動トランスなどの振動検出素子であればよい。
【０１７５】
例えば、接触部材１２、筐体２１およびカバー２２は、円筒状に限られず、角筒状であってもよい。
【０１７６】
例えば、実施の形態２では、骨伝導ヘッドセット５Ａを装着した場合に、支持体５４の中央部５４ａが頭部の後ろに配置される例を示したが、それに限られず、中央部５４ａが頭部の上に配置される構造であってもよい。
【０１７７】
また、実施の形態２では、骨伝導ヘッドセット５Ａを装着した場合に、支持体５４が、耳の下側を迂回するように形成されている例を示したが、それに限られず、支持体５４を耳の上側に沿った形状とし、支持体５４を耳に掛ける構造としてもよい。
【０１７８】
また、実施の形態２では、ミュートスイッチ６４を押下している間、トランシーバ７からの音声信号の音量が小さくなり、ミュートスイッチ６４の押下を止めるとトランシーバ７からの音声信号の音量は元に戻る例を示した。しかし、この構成に限らず、ミュートスイッチ６４を一度押下すると音量が小さくなり、ミュートスイッチ６４を再度押下すると音量が元に戻るように構成してもよい。
【０１７９】
また、実施の形態の変形例４では、ヘッドセット本体５０のコネクタ３２０は３極ジャック（メス）であり、コネクタ３００は４極プラグ（オス）であると説明した。しかしこれは一例であり、この形態には限定されない。ヘッドセット本体５０に接続される音声マイク５７のコネクタ１９０、骨伝導マイク１のコネクタ３６０、トランシーバ７のコネクタの形態に対応するものであればよい。例えば、コネクタ３２０を３極プラグで構成してもよいし、コネクタ３００を４極ジャックで構成してもよい。
【産業上の利用可能性】
【０１８０】
本開示は、人体に接触して声帯振動を取得する骨伝導マイクに適用可能である。また、本開示は、工事現場ヘルメット、バイク用ヘルメット、ヘッドフォンまたはインカム（インターコミュニケーション）などを頭部に装着して、通信相手と通話する場合の音声入出力器に適用可能である。
【符号の説明】
【０１８１】
１      骨伝導マイク（マイク）
２      ヘルメット
３      顎紐
４      マイクケーブル
５，５Ａ  骨伝導ヘッドセット
６      ヘッドセットケーブル
７      トランシーバ
９，９Ａ  通話装置
１０    振動取得部
１１    声帯センサ
１２    接触部材
１２ａ  当接部
１２ｂ  側面部
１２ｃ  開口部
１３    押し当て部材
２１    筐体
２１ａ  ベース部
２１ｂ  支柱部
２１ｃ  端面
２１ｄ  スイッチ固定部
２２    カバー
２２ａ  開口
２３    パッキン
２５    スイッチ
２５ａ  操作部
２６    留め金具
３０    ダイヤフラム
３０ａ  下面
３０ｂ  上面
５０    ヘッドセット本体（音声入出力装置）
５１    スピーカ（骨伝導スピーカ）
５２    耳かけ
５４    支持体
５４ａ  中央部
５４ｂ  端部（第１の端部）
５４ｃ  端部（第２の端部）
５４ｂ１，５４ｃ１  外側面
５５    制御部
５７    音声マイク（マイク）
５８    マイクホルダ
５９    接続部
６２，２３０，３４０，３７０  ＰＴＴスイッチ（通話スイッチ）
６４    ミュートスイッチ
７１    信号ライン
７２    音声ライン
７３    入力部
１９０，３６０  コネクタ（第３コネクタ）
３００  コネクタ（第２コネクタ）
３２０  コネクタ（第１コネクタ）
Ｐ１    押圧力
ｓ１    ストローク
【図１】
0006706766.tif 000002
【図２】
0006706766.tif 000003
【図３】
0006706766.tif 000004
【図４】
0006706766.tif 000005
【図５】
0006706766.tif 000006
【図６】
0006706766.tif 000007
【図７】
0006706766.tif 000008
【図８】
0006706766.tif 000009
【図９】
0006706766.tif 000010
【図１０】
0006706766.tif 000011
【図１１】
0006706766.tif 000012
【図１２】
0006706766.tif 000013
【図１３】
0006706766.tif 000014
【図１４】
0006706766.tif 000015
【図１５Ａ】
0006706766.tif 000016
【図１５Ｂ】
0006706766.tif 000017
【図１５Ｃ】
0006706766.tif 000018
【図１５Ｄ】
0006706766.tif 000019
【図１５Ｅ】
0006706766.tif 000020
【図１５Ｆ】
0006706766.tif 000021